(57)【要約】  検出器と共に用いて生体物質を測定するセンサ及びこれを用いる装置に関する。本発明の生体物質測定センサは、生体物質導入口を備えて検出器に着脱する３次元状の本体部と、生体物質に対する生化学反応が起きる複数の反応電極が一面に形成され、生化学反応によって生じる信号を検出器に伝達する複数の伝導電極が他面に形成されるセンサ部と、反応電極の上に固定されて生体物質と生化学反応する分析試薬とを含む。センサ部は、本体部と共に生体物質導入口に接続される反応チャンバを形成しながら、反応電極が反応チャンバに向くように本体部につけられる。本発明によれば、老弱者であっても着脱が容易にでき、センサ汚染も最小化することができる。【選択図】図１
2012530928.tif 000002
【特許請求の範囲】
【請求項１】
検出器と共に用いて生体物質を測定するセンサにおいて、
生体物質導入口を備えて前記検出器に着脱する３次元状の本体部と、
前記生体物質に対する生化学反応が起きる複数の反応電極が一面に形成され、前記生化学反応によって生じる信号を前記検出器に伝達する複数の伝導電極が他面に形成されるセンサ部と、
前記反応電極の上に固定されて前記生体物質と生化学反応する分析試薬と、を含み、
前記センサ部は、前記本体部と共に前記生体物質導入口に接続される反応チャンバを形成しながら前記反応電極が前記反応チャンバに向くように前記本体部につけられていることを特徴とする生体物質測定センサ。
【請求項２】
前記生体物質導入口は、突出形状を有することを特徴とする請求項１に記載の生体物質測定センサ。
【請求項３】
前記本体部と前記検出器は、凹凸構造によって結合されることを特徴とする請求項１に記載の生体物質測定センサ。
【請求項４】
前記本体部は、円錐または角錐状であって、前記生体物質導入口は前記円錐または角錐状の頂点に形成されることを特徴とする請求項３に記載の生体物質測定センサ。
【請求項５】
前記本体部は、開放された梯子状であることを特徴とする請求項３に記載の生体物質測定センサ。
【請求項６】
前記本体部と前記検出器は、磁性により結合されることを特徴とする請求項１に記載の生体物質測定センサ。
【請求項７】
前記本体部は、側面部が異なる生体物質測定センサの側面部と切断できるようにつけられることを特徴とする請求項６に記載の生体物質測定センサ。
【請求項８】
前記本体部は、前記検出器に係合されるフック部を備えることを特徴とする請求項１に記載の生体物質測定センサ。
【請求項９】
前記生体物質導入口は、前記反応チャンバまで至る毛細管を形成することを特徴とする請求項１に記載の生体物質測定センサ。
【請求項１０】
前記反応電極は、前記センサ部を貫通する伝導体を介して前記伝導電極と電気的に接続されることを特徴とする請求項１に記載の生体物質測定センサ。
【請求項１１】
検出器と測定センサを備える生体物質測定装置において、
前記測定センサは、
生体物質導入口を備えて前記検出器に着脱する３次元状の本体部と、
前記生体物質に対する生化学反応が起きる複数の反応電極が一面に形成され、前記生化学反応によって生じる信号を前記検出器に伝達する複数の伝導電極が他面に形成されるセンサ部と、
前記反応電極の上に固定されて前記生体物質と生化学反応する分析試薬と、を含み、
前記センサ部は、前記本体部と共に前記生体物質導入口に接続される反応チャンバを形成しながら前記反応電極が前記反応チャンバに向くように前記本体部につけられて、
前記検出器は、前記本体部が前記検出器につけられる際に前記の伝導電極と電気的に接続されるコネクタを含むことを特徴とする生体物質測定装置。
【請求項１２】
前記検出器は、前記測定センサを離脱させるエゼクタをさらに含むことを特徴とする請求項１１に記載の生体物質測定装置。
【請求項１３】
前記コネクタは、前記測定センサが前記検出器につけられる方向に弾性力を提供する弾性体をさらに備えることを特徴とする請求項１１に記載の生体物質測定装置。
【請求項１４】
前記検出器は、フック部と係合される溝部をさらに備えることを特徴とする請求項１１に記載の生体物質測定装置。
【請求項１５】
前記検出器は、前記コネクタの付近に磁性を有することを特徴とする請求項１１に記載の生体物質測定装置。
【発明の詳細な説明】
【技術分野】
【０００１】
本発明は、検出器と共に用いて生体物質を測定するセンサ及びこれを用いる装置に関し、目の悪いユーザや身体の不自由なユーザでも着脱可能であってセンサの汚染を最小化することができる構造の生体物質測定センサ及びこれを用いる測定装置に関する。
【背景技術】
【０００２】
バイオセンサ（ｂｉｏｓｅｎｓｏｒ）は、生物が有する機能を利用して物質の性質などを調査する測定装置である。このようなバイオセンサは生体物質を探知する素子として用いるので、感度と反応特異性が優れている。よって、バイオセンサは、臨床化学分析、バイオ産業の工程計測、環境計測、化学物質の安全性評価などと、広範囲な分野で広く利用されていて、その範囲は継続的に拡大されつつある。特に、医薬診断分野においては、試料を含む生体試料を分析するためのバイオセンサが多く用いられている。バイオセンサは、探知素子の種類によって酵素分析法と免疫分析法とに分類され、生体試料内の目的物質を定量分析する方法によって光学的バイオセンサと電気化学的バイオセンサとに分類される。
【０００３】
酵素分析法バイオセンサは、酵素と基質、酵素と酵素阻害剤の特異的な反応を利用するものであって、免疫分析法バイオセンサは抗原と抗体の特異的な反応を利用するものである。
【０００４】
光学的バイオセンサは、光透過度、吸光度または波長変化を測定して目的物質の濃度を測定する方法であって、最も一般に用いられた方法である。分析しようとする多様な物質の反応メカニズムは既に明らかであって、十分な時間反応が行われた後に測定するので、測定時間に対する偏差が少ないという長所がある。しかしながら、電気化学的バイオセンサに比べて測定時間が長く、多量の試料が必要とされるという問題点があった。また、試料の混濁度により測定結果に影響を与え、光学部の小型化が困難であるという問題点があった。
【０００５】
電気化学的バイオセンサは、反応によって得られる電気信号を測定して目的物質の濃度を測定する方法である。電気化学的バイオセンサは、極少量の試料であっても信号増幅が可能で小型化が容易であって、測定信号を安定的に獲得することができ、情報通信機器などと容易に融合することができるという長所がある。しかし、電極の製造工程が別途必要とされるなど、生産コストが高く、測定信号が反応時間に非常に敏感であるという短所があった。
【０００６】
一方、従来のバイオセンサは一般に平面ストリップ構造（ｐｌａｎａｒ  ｓｔｒｉｐ  ｓｔｒｕｃｔｕｒｅ）をしている。ユーザはバイオセンサを用いて、例えば、血糖を測定する際に検出器の狭いスリットに平面ストリップ構造のバイオセンサを挿入しなければならない。しかしながら、例えば、糖尿病患者や老弱者は目の悪い場合が多いため、狭いスリットに平面ストリップ構造のバイオセンサを挿入することは容易ではない。また、血糖を測定した後に検出器からバイオセンサを取り外す際にユーザは血液がついている部分の周りを手に取って抜いて捨てることになるが、このとき手に血液がつく恐れがあるため、ユーザは不便を感じることになる。また従来のストリップ型バイオセンサは、ユーザにより検出器に挿入される際、汚染されやすいなどの問題があった。
【発明の概要】
【発明が解決しようとする課題】
【０００７】
したがって、本発明は、目の悪いユーザでも着脱が容易なバイオセンサを提供することを一目的とする。
【０００８】
また、本発明は、外部からのセンサの汚染を最小化することができるバイオセンサを提供することを他の目的とする。
【０００９】
本発明の目的は、上述で言及した目的に制限されず、また、ここで言及のない本発明の他の目的及び長所は下記の説明によって理解されることができ、本発明の実施例によってさらに明確に理解することができる。また、本発明の目的及び長所は特許請求の範囲に示す手段及びその組み合わせによって実現されることを理解することができる。
【課題を解決するための手段】
【００１０】
このような目的を達成するための本発明は、検出器と共に用いて生体物質を測定するセンサにおいて、生体物質導入口を備え前記検出器に着脱する３次元状の本体部と、前記生体物質に対する生化学反応が起きる複数の反応電極が一面に形成され、前記生化学反応によって生じる信号を前記検出器に伝達する複数の伝導電極が他面に形成されるセンサ部と、前記反応電極の上に固定されて前記生体物質と生化学反応する分析試薬とを含み、前記センサ部は、前記本体部と共に前記生体物質導入口に接続される反応チャンバを形成しながら前記反応電極が前記反応チャンバに向くように前記本体部に結合されることを一つの特徴とする。
【００１１】
また、本発明は、検出器と測定センサを備える生体物質測定装置において、前記測定センサは、生体物質導入口を備え前記検出器に着脱する３次元状の本体部と、前記生体物質に対する生化学反応が起きる複数の反応電極が一面に形成され前記生化学反応によって生じる信号を前記検出器に伝達する複数の伝導電極が他面に形成されるセンサ部と、前記反応電極の上に固定されて前記生体物質と生化学反応する分析試薬とを含み、前記センサ部は、前記本体部と共に前記生体物質導入口に接続される反応チャンバを形成しながら前記反応電極が前記反応チャンバに向くように前記本体部に結合され、前記検出器は、前記本体部が前記検出器につけられる際に前記の伝導電極と電気的に接続されるコネクタを含むことを他の特徴とする。
【発明の効果】
【００１２】
このような本発明による生体物質測定装置は、目の悪いユーザでも簡単に使用することができる。また本発明による生体物質測定装置は、外部からのセンサの汚染を最小化することができる。
【図面の簡単な説明】
【００１３】
【図１】図１（ａ）は、本発明の一実施例による生体物質の測定装置を説明する図であり、（ｂ）は、図１（ａ）の生体物質測定装置でバイオセンサが検出器から離脱された状態を説明する図である。
【図２】図２は、本発明の一実施例によるバイオセンサの側断面図である。
【図３】図３は、図２におけるセンサ固定部の構造を説明する図である。
【図４】図４（ａ）は、図２におけるセンサ部の構造を説明する図であり、（ｂ）は、図２におけるセンサ部の構造を説明する図で、（ｃ）は、図２におけるセンサ部の構造を説明する図である。
【図５】図５（ａ）は、本発明による生体物質の測定装置を使用する手順を説明する図であり、（ｂ）は、本発明による生体物質の測定装置を使用する手順を説明する図で、（ｃ）は、本発明による生体物質の測定装置を使用する手順を説明する図で、（ｄ）は、本発明による生体物質の測定装置を使用する手順を説明する図で、（ｅ）は、本発明による生体物質の測定装置を使用する手順を説明する図である。
【図６】図６は、バイオセンサがセンサケースに収納された状態を説明する図である。
【図７】図７は、本発明の他の実施例による生体物の質測定装置を説明する図である。
【図８】図８は、図７のＡ部分にバイオセンサが離脱された状態の検出器の構造を説明する図である。
【図９】図９は、本発明の他の実施例によるバイオセンサの構造を説明する図である。
【図１０】図１０は、本発明の他の実施例によるバイオセンサが複数個製造される形態を説明する図である。
【図１１】図１１は、本発明の他の実施例によるバイオセンサが複数個収納される状態を説明する図である。
【発明を実施するための形態】
【００１４】
上述の目的、特徴及び長所は、添付の図面を参照して後述する詳細な説明によってより明確になるものであって、それによって本発明が属する技術分野における通常の知識を有する者が本発明の技術的思想を容易に実施することができる。また、本発明の説明において、本発明と係わる公知技術に対する具体的な説明が、本発明の要旨を不要に混乱させると判断された場合には、その詳細な説明を省略するものとする。以下、添付の図面を参照しながら本発明による好適な実施例を詳しく説明する。
【００１５】
図１（ａ）は、本発明の一実施例による生体物質測定装置を説明する図面であり、図１（ｂ）は、図１（ａ）の生体物質測定装置においてバイオセンサが検出器からはずされた状態を説明する図である。
【００１６】
図示のように、生体物質測定装置１００は、検出器１０２と３次元状のバイオセンサ１０４からなる。検出器１０２とバイオセンサ１０４は、凹凸構造により結合されることができる。図１（ａ）及び図１（ｂ）には、凹凸構造の一例として、バイオセンサ１０４に形成された溝に検出器１０２の突起が挿入された形態で検出器１０２とバイオセンサ１０４とが結合される生体物質測定装置１００が示されている。逆に、検出器に形成された溝にバイオセンサの突起が挿入された形態で検出器とバイオセンサが結合されることもできる。凹凸構造でバイオセンサと検出器とが結合される場合には、凹凸構造の形成のため追加的な製造工程が不要であり、バイオセンサと検出器とを機械的な力で結合するだけではなく、検出器の機械的な力で結合が解除され容易にはずすことができるという長所がある。
【００１７】
検出器とバイオセンサとは、磁性によって整列及び結合させてもよい。そのために、検出器はコネクタ１１２またはその付近に永久磁石や電磁石を備えることができる。電磁石を用いる場合、エゼクタボタン１０６は、電磁石への電源をオフにし、電磁石が磁性を失うことでバイオセンサをはずすことができる。検出器からバイオセンサをはずすために、永久磁石は弱磁性である必要がある。永久磁石を用いる場合、検出器には永久磁石を設け、バイオセンサには常磁性体を設けることが好ましい。
【００１８】
バイオセンサ１０４は、生体物質導入口１１０を介して生体物質を導入し、バイオセンサ１０４の内部に備えられた試薬と導入された生体物質との生化学反応により電気信号を生成して検出器１０２に伝達する。試薬は、導入された生体物質と生化学反応を起こす酵素などが含まれている。検出器１０２は、内蔵されたマイクロプロセッサ（図示せず）を用いてバイオセンサ１０４から伝達される電気信号を分析して、導入された生体物質に含まれている、例えば、血糖のような分析物質の濃度を測定し、ディスプレイ１０８を通して分析物質の濃度を表示する。分析物質の濃度を測定した後、ユーザがエゼクタボタン１０６を押すかまたはスライドさせると、検出器１０２からバイオセンサ１０４をはずすことができる。
【００１９】
図１（ｂ）に示すように、検出器１０２において、バイオセンサ１０４がつけられる部分には、溝部１１４が形成されていて、バイオセンサ１０４には、この溝部１１４に係合されるフック部（図示せず）が形成されている。コネクタ１１２は、バイオセンサ１０４と電気的に接続されてバイオセンサ１０４から伝達される電気信号を、検出器１０２に内蔵された信号分析用マイクロプロセッサに送る。コネクタ１１２において、バイオセンサ１０４と電気的に接続される部分の反対部分には、バイオセンサ１０４が検出器１０２につけられる方向に弾性力を提供する弾性体（図示せず）が備えられる。弾性体は、コネクタ１１２をバイオセンサ１０４とさらに密着させる。また、検出器１０２とバイオセンサ１０４が凹凸構造により結合されていてもコネクタ１１２またはその周りに電磁石や永久磁石を備えることが好ましい。分析物質の濃度を測定した後、バイオセンサ１０４を検出器１０２からはずす際に問題なくはずれるように永久磁石を弱磁性にする必要がある。
【００２０】
図２は、本発明の一実施例によるバイオセンサの側断面図である。
【００２１】
本体部２０２は、検出器１０２からコネクタ１１２が形成された部分に挿入されてバイオセンサ１０４が検出器１０２につけられるようにする。本体部２０２の内形状は、検出器１０２にバイオセンサ１０４がつけられる部分の外形状と同一形状を有することが好ましい。本体部２０２は、検出器１０２に結合することができ、積層させて覆うことができる３次元形状、例えば中空の円錐または角錐状などを有することが好ましい。
【００２２】
センサ固定部２１０は、センサ部２０８を本体部２０２に固定させる。図３は、センサ固定部２１０の構造を説明する図である。センサ固定部２１０は、センサ部２０８の伝導電極と検出器１０２のコネクタ１１２との電気的接続のために内部に穴３０４が形成されている。フック部２１２は、バイオセンサ１０４が検出器１０２につけられる際、検出器１０２の溝部１１４に係合されて、バイオセンサ１０４を検出器１０２に安定的に結合させる。センサ固定部２１０としてホットメルト（ｈｏｔ  ｍｅｌｔ）フィルムを使用することができる。また、センサ固定部２１０は、融着作業だけで本体部２０２に固定されるか、あるいは融着なしで組み立てるだけで本体部２０２に固定することができる。
【００２３】
図２に示すように、反応チャンバ２０６は、試料経路２０４を介して生体物質導入口１１０と接続される。試料経路２０４は、反応チャンバ２０６への試料流入が容易になるように毛細管に形成される。血液のような生体物質は、試料経路２０４による毛細管現象により生体物質導入口１１０に導入されて反応チャンバ２０６に流入される。
【００２４】
生体物質導入口１１０は、例えば血液をバイオセンサ１０４に導入するために、指を接触させた際に指により生体物質導入口１１０が完全に塞がれることで、生態物質の導入が抑制されることを防止するために突出形状を有することが好ましい。本体部２０２が円錐または角錐状を有する場合、生体物質導入口１１０は円錐または角錐状の頂点に形成される。
【００２５】
センサ部２０８から反応チャンバ２０６に向う面には、複数個の反応電極（図示せず）が形成されており、反応電極を横切って反応試薬が固定される。反応試薬は、反応チャンバ２０６内に流入された生体物質と生化学反応を起こして電気信号を生成し、生成された電気信号は反応電極に伝達される。反応電極に伝達された電気信号は、センサ部２０８の他面に形成されている複数の伝導電極を介して検出器１０２に伝達される。センサ部２０８は、本体部２０２と共に反応チャンバ２０６を形成しながら一面に形成された複数の反応電極（図示せず）が反応チャンバ２０６に向くように本体部２０２につけられる。
【００２６】
図４（ａ）ないし図４（ｃ）は、図２におけるセンサ部の構造を説明する図である。図４（ａ）は、自動コーディング用センサ部の裏面を示し、図４（ｂ）は、測定用センサ部の前面を示し、図４（ｃ）は、測定用センサ部の裏面を示す。センサ部２２２、２２６は、通常の薄膜蒸着技術、めっき技術、印刷電子技術などで容易に製作することができる、そのうち最も簡単に製作できるのは、印刷回路基板（Ｐｒｉｎｔｅｄ  Ｃｉｒｃｕｉｔ  Ｂｏａｒｄ：ＰＣＢ）である。
【００２７】
図４（ａ）において、自動コーディング用センサ部２２２の裏面に形成された電極２２４は、現在、検出器につけられているバイオセンサが自動コーディング用であることと、その後生体物質を測定するために検出器１０２につけて用いるバイオセンサ１０４の特性などとを、抵抗値を利用して検出器１０２に知らせる。生体物質を測定するための目的ではないため、反応チャンバ２０６に向う前面には反応電極や反応試薬が形成されない。
【００２８】
図４（ｂ）に示すように、反応チャンバ２０６に向う測定用センサ部２２６の前面には、複数の反応電極２２８が形成され、反応電極２２８上には分析物質と生化学反応を起こして電気信号を生成する分析試薬２３０が固定される。図４（ｃ）に示すように、測定用センサ部２２６の裏面には、生化学反応によって生成された電気信号を検出器１０２に伝達する伝導電極２３２、２３４が形成される。反応電極２２８と伝導電極２３２、２３４は、センサ部２２６を貫通する伝導体（図示せず）を介して電気的に接続される。
【００２９】
図５（ａ）ないし図５（ｅ）は、本発明による生体物質測定装置を使用する手順を例示する図である。
【００３０】
まず、図５（ａ）に示すように、ユーザは検出器４０２とバイオセンサ４０４を準備する。検出器４０２には、測定結果を表示する手段であるディスプレイ部４１２と、既に使用したバイオセンサ４０４を離脱させるエゼクタ４１４を備える。ディスプレイ部４１２としては、液晶表示装置（Ｌｉｑｕｉｄ  Ｃｒｙｓｔａｌ  Ｄｉｓｐｌａｙ：ＬＣＤ）、発光ダイオード（Ｌｉｇｈｔ  Ｅｍｉｔｔｉｎｇ  Ｄｉｏｄｅ：ＬＥＤ）などが用いられる。バイオセンサ４０４は、ケース４０６に積層されて収納されている。次に、ユーザは、コネクタ（図１の１１２）が露出されている検出器４０２をケース４０６に挿入することで、ケース４０６に積層された最も上のバイオセンサを検出器４０２につける。上述したように検出器４０２にバイオセンサを整列及びつけることを容易にするために、コネクタまたはその付近に磁性物質を設けることが好ましい。
【００３１】
次に、図５（ｃ）に示すように、ユーザは、指に血４１０を出して生体物質導入口４０８を介してバイオセンサ内部に流入させる。生体物質導入口４０８に指を接触すると毛細管現象により反応チャンバ（図２の２０６）まで血がバイオセンサ内部に流入される。バイオセンサ内部に流入された血は、分析試薬と生化学反応を起こして電気信号を生成し、生成された電気信号は、検出器４０２により分析されて分析対象物質の濃度を計算する。計算された分析対象物質の濃度は、図５（ｄ）に示すように、ディスプレイ部４１２を介してユーザに表示される。分析対象物質の濃度を、ディスプレイ部４１２を介して確認したユーザは、エゼクタボタン４１４を使用して、つけられていたバイオセンサを検出器４０２からはずせる。
【００３２】
本実施例によれば、検出器４０２とバイオセンサ４０４を使用すると、ユーザは既存のように、バイオセンサを検出器の狭いスリットに挿入する必要はなく、検出器４０２の前の部分にはめればよいので、バイオセンサを検出器につけることが非常に容易である。また、バイオセンサが積層されているケース４０６を使用するか、または検出器４０２にコネクタまたはその付近に磁石を設けることで、バイオセンサを検出器につけることがさらに容易になる。このように、検出器にバイオセンサをつけることが簡単なので、バイオセンサ結合過程においてバイオセンサが汚染されることを効果的に防止することができる。
【００３３】
また、本実施例によれば、検出器４０２がエゼクタ機能を備えなくてもバイオセンサが３次元形状を有するので、ユーザが検出器からバイオセンサをはずすことが容易である。検出器がエゼクタ機能を有する場合には、バイオセンサを手で握る必要なく、ただエゼクタボタン４１４を押すか、またはスライドさせればよいので、検出器からバイオセンサをはずすことがさらに簡単である。また既存のように測定後に、血がついたセンサストリップを手で検出器から抜く必要がないので、手に血がつく心配もない。
【００３４】
図６は、バイオセンサがセンサケースに収納された状態を説明する図である。図６に示すように、３次元形状のバイオセンサ５０４は、検出器１０２との結合を容易にするために検出器１０２と着脱される部分が上向き状態にセンサケース５０２に収納されている。また、センサケース５０２の制限された空間に多量のバイオセンサ５０４を収納するために、互いに重畳した状態でセンサケース５０２に収納される。
【００３５】
図７は、本発明の他の実施例による生体物質測定装置６００を説明する図である。図８は、図7のＡ部分からバイオセンサ６０４がはずされた状態の検出器６０２の構造を説明し、図９は、バイオセンサ６０４の構造を説明する。
【００３６】
図７に示すように、生体物質測定装置６００は、検出器６０２とバイオセンサ６０４からなる。バイオセンサ６０４は、生体物質導入口８０２を介して生体物質を導入し、バイオセンサ６０４の内部に備えている試薬と導入した生体物質との生化学反応によって電気信号を生成して検出器６０２に伝達する。分析試薬は、導入した生体物質と生化学反応を起こす酵素などを含む。検出器６０２は、動作ボタン６０８の入力に従って内蔵されたマイクロプロセッサ（図示せず）を利用してバイオセンサ６０４から伝達される電気信号を分析し、導入された生体物質に含まれている分析物質の濃度を測定し、ディスプレイ６０６を通して分析物質の濃度を表示する。分析物質の濃度を測定した後、ユーザは、エゼクタボタン６１０を押すか、またはスライドさせると、エゼクタ７０６が導出してバイオセンサ６０４が検出器６０２からはずれる。
【００３７】
図８に示すように、検出器６０２においてバイオセンサ６０４がつけられる部分７０２には溝部７０８が形成され、バイオセンサ６０４には、この溝部７０８と係合されるフック部８０４が形成される。コネクタ７０４は、バイオセンサ６０４と電気的に接続されてバイオセンサ６０４から伝達される電気信号を検出器６０２に内蔵された信号分析用マイクロプロセッサに送る。コネクタ７０４において、バイオセンサ６０４と電気的に接続される部分の反対部分には、バイオセンサ６０４が検出器６０２につけられる方向に弾性力を持たせる弾性体（図示せず）が備えられる。弾性体は、コネクタ７０４をバイオセンサ６０４とさらに密着させる。また、検出器６０２は、コネクタ７０４または付近に磁石（図示せず）を設けることが好ましい。磁石は、バイオセンサ６０４が検出器６０２の適切な位置につけられることを助ける。
【００３８】
図９において、本体部８０１は検出器６０２においてコネクタ７０４が形成された部分にはめられバイオセンサ６０４が検出器６０２につけられるようにし、ある程度弾性力のあるプラスチック材質で形成されることが好ましい。本体部８０１の内形状は、検出器６０２においてバイオセンサ６０４がつけられる部分の外形状と同一形状を有する。本体部８０１は、開放された梯子形態を有する。フック部８０４は、バイオセンサ６０４が検出器６０２につけられる際に検出器６０２の溝部７０８に係合されてバイオセンサ６０４が検出器６０２に安定的につけられるようにする。
【００３９】
生体物質導入口８０２とセンサ部８０６は、試料経路（図示せず）と反応チャンバ（図示せず）を経由して接続される。試料経路は、反応チャンバへの試料流入が容易にできるように毛細管で形成される。生体物質導入口８０２は、例えば血液をバイオセンサ６０４に導入するために指を接触した際、指により生体物質導入口８０２が完全に塞がれて、生体物質の導入が抑制されることを防止するために突出形状を有することが好ましい。生体物質導入口８０２は、本体部８０１の狭い上辺に形成される。
【００４０】
センサ部８０６において、生体物質導入口８０２（または、反応チャンバ）に向う面には複数個の反応電極（図示せず）が形成され、反応電極を横切って反応試薬が固定される。反応試薬は、反応チャンバ内に流入された生体物質と生化学反応を起こして電気信号を生成し、生成された電気信号は、反応電極に伝達される。反応電極に伝達された電気信号は、センサ部８０６の他面に形成されている複数の伝導電極を介して検出器６０２に伝達される。センサ部８０６は、本体部８０１と共に反応チャンバを形成しながら一面に形成された複数の反応電極（図示せず）が反応チャンバに向くように、本体部８０１につけられる。センサ部８０６は、本体部８０１に接着剤などを介して接着されるか、または熱によって融着される。
【００４１】
図１０は、図９に示すバイオセンサが、一度で複数個製造される形態を説明する図である。図示のように、例えば１０個のバイオセンサが側面につけられた形態に製造されると、製造工程を単純化することができる。このように製造されたバイオセンサは、複数個つけられた形態でユーザが携帯しながら使用時に１つずつ切断して使用することができる。バイオセンサの切断を容易にするために、バイオセンサとの間に切断溝が形成されている。
【００４２】
図１１は、図９に示すバイオセンサの複数個が層別に重なってケースに収納された状態を説明する図である。生体物質導入口８０２が下向きとなってバイオセンサがこのように重畳された状態でケース（図示せず）に収納されると、検出器６０２のＡ部分をケースに押し入れることで、バイオセンサを検出器に容易につけることができる。
【００４３】
以上で説明した本発明は、本発明が属する技術分野における通常の知識を有する者において本発明の技術的思想を逸脱しない範囲内で、さまざまな置換、変形及び変更が可能であって、上述の実施例及び添付図面によって限定されるのではない。
2012530928.tif 000003
【図１】
2012530928.tif 000004
【図２】
2012530928.tif 000005
【図３】
2012530928.tif 000006
【図４】
2012530928.tif 000007
【図５】
2012530928.tif 000008
【図６】
2012530928.tif 000009
【図７】
2012530928.tif 000010
【図８】
2012530928.tif 000011
【図９】
2012530928.tif 000012
【図１０】
2012530928.tif 000013
【図１１】
2012530928.tif 000014
【国際調査報告】
2012530928.tif 000015
2012530928.tif 000016
2012530928.tif 000017
2012530928.tif 000018